Podtech/llm-jp-corpus-v4-ja_patent huggingface dataset:
(57)【要約】      （修正有）【課題】冷蔵庫やソファーの下の狭い隙間にも入り、且つシートを無駄なく使用する床掃除用具を提供する。【解決手段】シートホルダー１の厚みの中央部分ａに金属製の柄２ａを設けることにより、柄の取付け部分を削除し、必要最小限の厚さを約１０ｍｍとしたものである。又、シート保持部分３をシートホルダーの側面に設けた事によりシートの全面が使えるようになり無駄がなくなる。【選択図】図１
0003160472.tif 000002
【実用新案登録請求の範囲】
【請求項１】
シートと共に使用する床掃除用具であり（図１）シートホルダー（１）の厚みの中央部分（ａ）に金属製の柄（２ａ）を取り付ける事により従来品の柄の取付け部分（図８）を削除し、必要最小限の厚さ（図７）の（ｆ）約１０ｍｍに設定でき、狭い隙間にも容易に入り掃除できる床掃除用具である。
【請求項２】
（図６）シートホルダー（１）の側面に取り付けたシート保持部（３）にシートの両端を差込み保持する請求項１に記載の掃除用具である。
【請求項３】
（図７）シートホルダー（１）は（ａ）を中心に回転する為、取り付けられたシート（６）のｄ面とｅ面が使用可能となり無駄なくシートが使える請求項１に記載の掃除用具である。
【請求項４】
（図１１）柄が（８）を中心に左右に動くため部屋の隅や狭い場所でもシートホルダーのシート面を確実に床に接面する事のできる請求項１に記載の掃除用具である。
【考案の詳細な説明】
【技術分野】
【０００１】本考案は、冷蔵庫やソファーの下の狭い隙間にも入る床掃除用具に関する物である。
【背景技術】
【０００２】従来のシート保持掃除用具（特許文献１）がある。又、隙間専用のハンディータイプ（特許文献２）（特許文献３）がある。
【先行技術文献】
【特許文献】
【０００３】
【特許文献１】特表２００３−５０６１８６
【特許文献２】特開平８−８９４６５
【特許文献３】特開平８−２１５１２４
【考案の概要】
【考案が解決しようとする課題】
【０００４】しかし従来のシート保持掃除用具では柄の取り付け部分（図８）が障害となり隙間に入らず、専用のハンディータイプと使い分けると言う欠点があった。又、既存のシートを使い捨てするタイプではシートの半分以上の面積を折り返して取り付け保持する為（図９ｃ）実際に使用する部分は全体の半分以下しか無いので効率が悪い。（図９ｂの斜線部分）そこで本考案は、以上の欠点を解決するために考案されたものである。
【課題を解決するための手段】
【０００５】（図６）シートホルダー（１）の厚み中央部（ａ）に金属製の柄（２ａ）を取り付ける事により、柄の角度可動部分をシートホルダーの厚み内に設ける事ができ、必要最小限の厚さ（ｆ）約１０ｍｍとした掃除用具である。（図７）又、シートの保持部分（３）をシートホルダーの側面に設けた為（ｄ，ｅ）面とも使用出来るのでシートを無駄なく使用できるものである。
【考案の効果】
【０００６】床掃除をしながら冷蔵庫やソファーの下まで容易に掃除が出来る。又、シートも無駄なく使用できるので経済的である。
【図面の簡単な説明】
【０００７】
【図１】本考案の斜視図
【図２】本考案のシート取り付け後の斜視図
【図３】本考案の構成図
【図４】シートホルダーの平面図
【図５】シートホルダーＡ−Ａ’の断面図
【図６】本考案の側面図
【図７】シートホルダーＢ−Ｂ’の断面図
【図８】従来品の柄の取り付け部分の側面図
【図９】従来品が使用するシートの平面図
【図１０】柄の前後の動きを示す図
【図１１】柄の左右の動きを示す図
【符号の説明】１・シートホルダー
２・柄（２ａ、２ｂ）
３・シート保持部分
４・硬質ウレタンカバー
５・止め具
６・シート
７・取っ手
８・リベット
ａ・シートホルダーの中央部分
ｂ・従来品のシートの使用部分
ｃ・従来品のシートの未使用部分
ｄ・シート約半分のスペース
ｅ・シート約半分のスペース
ｆ・シートホルダーの厚み
【図１】
0003160472.tif 000003
【図２】
0003160472.tif 000004
【図３】
0003160472.tif 000005
【図４】
0003160472.tif 000006
【図５】
0003160472.tif 000007
【図６】
0003160472.tif 000008
【図７】
0003160472.tif 000009
【図８】
0003160472.tif 000010
【図９】
0003160472.tif 000011
【図１０】
0003160472.tif 000012
【図１１】
0003160472.tif 000013
【手続補正書】
【提出日】平成21年11月13日(2009.11.13)
【手続補正１】
【補正対象書類名】実用新案登録請求の範囲
【補正対象項目名】全文
【補正方法】変更
【補正の内容】
【実用新案登録請求の範囲】
【請求項１】
シートと共に使用する床掃除用具でありシートホルダー（１）の厚みの中央部分（ａ）に金属製の柄（２ａ）を取り付けることにより、従来品のシートホルダー上面に取り付けられた柄の厚みを無くすことができ、約１０ｍｍのわずかな隙間にも容易に入る薄型シート保持掃除用具である。
【請求項２】
シートホルダー（１）の側面に取り付けた軟質性のシート保持部分（３）にシートの両端を指先で差込み保持する請求項１に記載の薄型シート保持掃除用具である。
【請求項３】
シートホルダー（１）は（ａ）を中心に３６０°回転する為、取り付けられたシートのｄ面とｅ面が使用可能となり無駄なくシートが使える請求項１に記載の薄型シート保持掃除用具である。
【請求項４】
柄が（８）を中心に左右に動くため部屋の隅や狭い場所でもシートホルダーのシートを確実に床に接面する事の出来る請求項１に記載の薄型シート保持掃除用具である。
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
シートと共に使用する床掃除用具でありシートホルダー（１）の厚みの中央部分（ａ）に金属製の柄（２ａ）を取り付けることにより、従来品のシートホルダー上面に取り付けられた柄の厚みを無くすことができ、約１０ｍｍのわずかな隙間にも容易に入る薄型シート保持掃除用具。
【請求項２】
シートホルダー（１）の側面に取り付けた軟質性のシート保持部分（３）にシートの両端を指先で差込み保持する請求項１に記載の薄型シート保持掃除用具。
【請求項３】
シートホルダーの中央部分（ａ）を中心に３６０°回転する為、取り付けられたシートのｄ面とｅ面が使用可能となり無駄なくシートが使える請求項１に記載の薄型シート保持掃除用具。
【請求項４】
柄がリベット（８）を中心に左右に動くため部屋の隅や狭い場所でもシートホルダーのシートを確実に床に接面する事の出来る請求項１に記載の薄型シート保持掃除用具。
(57)【要約】【課題】犬の散歩の際に、犬が排せつしたフンを円滑に採取、廃棄することができる器具を提供する。【解決手段】器具本体１先端のリング状の部分に袋の口を折り曲げて装着し留め具２で挟み込んで固定する。使用後は水洗便所、ゴミ箱等の上で留め具２をつまんで広げ、袋を自重で落下させて取り外すことによって使用者が袋に手を触れることなくフンの入った袋を廃棄することができる。【選択図】図１
0003160477.tif 000002
【実用新案登録請求の範囲】
【請求項１】
器具本体１の形状
【請求項２】
留め具２の形状
【請求項３】
器具本体１と留め具２を組み合わせて袋を装着、固定することができるようにした形状
【考案の詳細な説明】
【技術分野】
【０００１】この考案は、犬の散歩時に犬が排せつするフンを円滑に採取、廃棄することができるものである。
【背景技術】
【０００２】従来より、フン取り用の器具は存在していたが、器具に取り付けられている袋を、使用者が手にして器具から取り外し廃棄しなければならず、袋に手を触れずに廃棄できるものはなかった。
【考案の概要】
【考案が解決しようとする課題】
【０００３】犬の散歩時に犬が排せつするフンを取り除く際、従来は袋等を使用して手でつまみ取り、廃棄しなければならないといった作業が必要で、作業者の不快感を招き、また、フンが作業者の手に直接触れる可能性があるため衛生的ではないという問題点があった。
【課題を解決するための手段】
【０００４】フンを入れる袋３を、器具本体１先端のリング状の部分に折り曲げて装着し、器具本体１先端のリング状部分外周に掘ってある溝に留め具２を沿わせて挟み込み固定させる。当該溝に、留め具２を沿わせて挟むことによって、締め込み強度を向上させ、採取後の重量を増した袋の脱落をも防止する構造となっている。使用時は犬の臀部下に器具本体１の先端を差し込み、受けるようにして使用する。使用後には、水洗便所・ゴミ箱等の上で留め具２のつまみ部分を指でつまんで留め具２を広げ、袋３を自重により落下させて取り外し廃棄する。
【考案の効果】
【０００５】フンが地表に落下、到達する前にフンを採取することができるため、地表を汚すことがなく、また、使用後の袋を使用者が手を触れずに器具から取り外すことができることにより、フンを廃棄する際の不快感の軽減、また、衛生的に廃棄することができる。
【図面の簡単な説明】
【０００６】
【図１】考案した器具の使用状況を示した斜視図である。
【図２】器具本体と留め具および袋を示した斜視図である。
【符号の説明】
【０００７】１．器具本体
２．留め具
３．袋
【図１】
0003160477.tif 000003
【図２】
0003160477.tif 000004
【手続補正書】
【提出日】平成22年1月7日(2010.1.7)
【手続補正１】
【補正対象書類名】実用新案登録請求の範囲
【補正対象項目名】全文
【補正方法】変更
【補正の内容】
【実用新案登録請求の範囲】
【請求項１】
先端にリング状の部分を有し、当該部分の外周に掘られた溝に留め具２をはめ込むことによって当該器具先端に取り付けた袋を固定させ、脱落を防止することができる形状を有する、器具本体１からなる犬の糞を採取および廃棄する器具。
【請求項２】
スプリング状の形状を有し、器具本体１先端のリング状部分外周に掘られた溝にはめ込むことによって袋を固定することができ、つまみ部分を指でつまむことによって器具本体１と袋を着脱させることができる形状を有する、留め具２からなる犬の糞を採取および廃棄する器具。
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
先端にリング状の部分を有し当該部分の外周に掘られた溝に留め具２をはめ込むことによって当該器具先端に袋を取り付けて固定させて脱落を防止することができる形状を有する器具本体１と、留め具２とからなる犬の糞を採取および廃棄する器具。
【請求項２】
先端にリング状の部分を有し当該部分の外周に掘られた溝に留め具２をはめ込むことによって当該器具先端に袋を取り付けて固定させて脱落を防止することができる形状を有する器具本体１と、留め具２とからなり、当該留め具２はスプリング状の形状を有するとともにつまみ部分が形成され、当該つまみ部分を指でつまむことによって器具本体１と袋を着脱させる犬の糞を採取および廃棄する器具。
(57)【要約】      （修正有）【課題】パンティーの中、腹側股部方向に別の布（紙）の汗取りパッドを入れたものが汗や汚れ又、少々の尿もれなどで汚れた際、別の汗取りパッドと取り替えて不快感をとり除く為の汗取りパッドを提供する。【解決手段】汗取りパッド１の股関節部位に当る部分を汗取りパッドカット部１ａの形状にカットして、汗取りパッド本体１の上部折り返しとなる部分１ｂはパンティー２に装着した際にパンティー２の上端から折り返し可能な長さを有し、また、汗取りパッド本体１を前から挿入して後ろに回した部分１ｃは汚物等がパンティー２に付着しない長さとした。【選択図】図１
0003160475.tif 000002
【実用新案登録請求の範囲】
【請求項１】
パンティーの腹側に入れた汗や汚れを吸収しやすい材質の布（紙）がパンティーの中でパンティーや体にそぐい、できればパンティーの中で捩れないで汗や汚れを吸収するという役目が果たせるように上部や股部分を裁断し、ほつれるのを好まない場合は縁の処理を施した汗取りパッド。
【考案の詳細な説明】
【技術分野】
【０００１】  本考案はパンティーに汗や汚れが直接着かないように、別の布（紙）の汗取りパッドをパンティーの中に入れて、汗や汚れが着いたら取り出して別の汗取りパッドと交換できるようにする汗取りパッドに関するものである。
【背景技術】
【０００２】  従来の汗対応パンツは、［特許文献１］のようにパンティー自体に汗を吸着させる機能をもったものであり、汗などの吸着したものを汗などの吸着していないものと交換できるようになっていないので重ぐるしくさわやかさに欠け不快感を伴う。
【先行技術文献】
【特許文献】
【０００３】
【特許文献１】実開平６−２０４０４
【考案の概要】
【考案が解決しようとする課題】
【０００４】  本考案は、パンティーの中に別布（紙）の汗取りパッドを入れて汗取りパッドを取り替えることによって汗などの汚れの不快感を取り去ることを課題としている。
【課題を解決するための手段】
【０００５】  本考案はパンティーの内側に汗や汚れを吸収しやすい材質の布（紙）でパンティーの中で汗取りパッドがずれたり、捩れたりしないように裁断し、ほつれるのを好まない場合は、縁の処理を施したものを入れて、汗や汚れや、少々の尿もれ等が着いた際、それを取り替えることによって不快感をなくしようとしている。
【考案の効果】
【０００６】  本考案はズボンやパンティーを脱ぐことなく、汗や汚れが着いた汗取りパッドを取り替えることができるのでいつもさわやかでいられるし、汗取りパッドを布で作った場合、洗濯して何度でも使用できるので経済的である。
【図面の簡単な説明】
【０００７】
【図１】この考案の汗取りパッド本体をパンティーに装着する状態を示した図
【図２】汗取りパッド本体をパンティーに装着した図
【図３】汗取りパッド本体をパンティーに装着したところを背面から見た図
【考案を実施するための形態】
【０００８】  以下、この考案の実施形態を添付図面に基づいて説明する。図１の１は汗取りパッドの本体で１ａは汗取りパッドカット部であり、汗取りパッド本体１が体に副うように股関節のところをカットした図である。図１の２は汗取りパッド本体１をパンティーの前側に挿入する位置を示す。図２の股関節のところの汗取りパッドカット部１ａはパンティーより少しはみ出るように裁断して、股関節の汗を吸い取らせると同時に汗取りパッド本体１がパンティーの中でずれたり、捩れたりしないようにするが、好みによっては汗取りパッドカット部１ａはパンティーよりはみ出るように裁断しない場合もある。図２は汗取りパッド本体１をパンティーの前側に挿入した図で、図１の汗取りパッド本体１の上の部分を長めに裁断しただけの分を外側に折り曲げたものが汗取りパッド本体１の上部折り返し部分となる１ｂで汗取りパッド本体１がパンティーの中で捩れたりしないように装着した図であり、トイレの際、パンツの上げ下げも楽にできるものであるが好みによってはこの部分がなくてもよい。図３の汗取りパッド本体１を前から挿入して後ろに回した部分１ｃはパンティーに汗取りパッド本体１を前から挿入して後ろに回したところを背面から見た図であるが好みによってはこの部分は必要としない場合もあるのでこの部分の有無にはこだわらない。
【符号の説明】
【０００９】１．汗取りパッド本体
１ａ．汗取りパッドカット部
１ｂ．汗取りパッド本体１の上部折り返しとなる部分
１ｃ．汗取りパッド本体１を前から挿入して後ろに回した部分
２．パンティー
【図１】
0003160475.tif 000003
【図２】
0003160475.tif 000004
【図３】
0003160475.tif 000005
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
パンティーの腹側に入れた汗や汚れを吸収しやすい材質の布または紙がパンティーの中でパンティーや体にそぐい、パンティーの中で捩れないで汗や汚れを吸収するという役目が果たせるように形を整えた汗取りパット。
【手続補正書】
【提出日】平成22年4月9日(2010.4.9)
【手続補正１】
【補正対象書類名】実用新案登録請求の範囲
【補正対象項目名】全文
【補正方法】変更
【補正の内容】
【実用新案登録請求の範囲】
【請求項１】
パンティー（２）の中に装着して使用される汗取りパッドにおいて、汗取りパッド（１）の股関節部位に当る部分を汗取りパッドカット部（１ａ）の形状にカットして、汗取りパッド本体（１）の上部折り返しとなる部分（１ｂ）はパンティー（２）に装着した際にパンティー（２）の上端から折り返し可能な長さを有し、また、汗取りパッド本体（１）を前から挿入して後ろに回した部分（１ｃ）は汚物等がパンティー（２）に付着しない長さとしたことを特徴とした汗取りパッド。
【請求項２】
パンティー（２）の中に装着して使用される汗取りパッドにおいて、汗取りパッド（１）の股関節部位に当たる部分を汗取りパッドカット部（１ａ）の形状にカットして、汗取りパッド本体（１）の上部折り返しとなる部分（１ｂ）はパンティー（２）に装着した際にパンティー（２）の上端と同一、又はそれ以下の長さを有し、汗取りパッド本体（１）を前から挿入して後ろに回した部分（１ｃ）は尿もれに対応できる長さとしたことを特徴とした汗取りパッド。
(57)【要約】      （修正有）【課題】従来、石を留めるために金やプラチナの本体に爪やレールを使用し石留加工していたが、本体に石留め加工できない金に関して石留めの問題を解決した身飾り品を提供する。【解決手段】本体裏側より石の通る道を作り、その石のセットしたい所にワッシャー取り付け用の溝を作りワッシャーのバネを利用し石を本体にセットする。【選択図】図１
0003160471.tif 000002
【実用新案登録請求の範囲】
【請求項１】
素材の性質により、従来の石留め加工が出来ない貴金属本体に対しワッシャーを裏側から本体溝に取り付け、全く新しい石留めをした身飾り品。
【考案の詳細な説明】
【技術分野】
【０００１】  本考案は従来の石を上部からセットせずに、しかも本体に対し石留加工する事無く下からセットし、本体形状とワッシャーのバネにより石を留めたものである。
【背景技術】
【０００２】  上部からは爪やレールなどが無く、マテリアル本体の加工に依存せずに石を留める為に開発。
【考案の開示】
【考案が解決しようとする課題】
【０００３】  本体の爪や玉を作らずに、本体には一切石留め加工せずに石を止める事が出来るよう、ワッシャーのを使用し解決しようとする物である。
【課題を解決するための手段】
【０００４】  本体に石が裏側から入れられるように道を作り、ワッシャーの溝を造りワッシャーのバネを利用することによりその石が本体に留められる事を可能にしている。
【考案の効果】
【０００５】  通常石を留める事が出来なかったマテリアルに対し、石を留めるように出来た。
【考案を実施するための最良の形態】
【０００６】  本体に石よりも少しだけ小さい道を作り、表から落ちないようにし、溝にワッシャーをセットしワッシャーのバネを利用して石を留めている。
【実施例】
【０００７】  以下図面に従って説明します。１、は石留め加工できない本体で２、はその本体に留める石。３、は溝に入れたワッシャー。
【図面の簡単な説明】
【０００８】
【図１】  本考案に関るワッシャーのバネを利用して石を本体に留めた身飾り品の断面図の一例。
【符号の説明】
【０００９】１、  本体
２、  留めようとする石
３、  ワッシャー及びセットする溝
【図１】
0003160471.tif 000003
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
素材の性質により、石留の加工が出来ない貴金属本体に円状の溝を作り、その溝に石をはめ込み、その後からワッシャーを取り付け、石留めをした身飾り品。
(57)【要約】      （修正有）【課題】印紋部の分離・紛失を防止するとともに、使用者の捺印業務の効率向上、ストレスの軽減が期待出来、社会の信用業務に貢献できる印鑑を提供する。【解決手段】印面１を有する印紋本体２に宝珠体凸部３を設け、宝珠体凸部３の直径以下の壺体開口部４の壺体凹部５を有する取手本体６を設け、宝珠体凸部３と壺体凹部５とが螺嵌の「くびふり印材」。【選択図】図１
0003160494.tif 000002
【実用新案登録請求の範囲】
【請求項１】
印面（１）が、取手（６）に対して傾斜する取付構造の印材において、印面（１）を有する印紋本体（２）に宝珠体凸部（３）を設け、前記宝珠体凸部（３）の直径以下の壺体開口部（４）の壺体凹部（５）を有する取手本体（６）を設け、前記宝珠体凸部（３）に前記壺体凹部（５）が螺嵌した「くびふり百発百中ハイブリッド印材」。
【請求項２】
印紋本体（２）の宝珠体凸部（３）と取手本体（６）の壺体凹部（５）が螺着、可動傾斜する請求項１記載の「くびふり百発百中ハイブリッド印材」。
【請求項３】
宝珠体凸部（３）を有する印紋本体（２）が、壺体凹部の開口部（４）に螺入、離脱不可の構造となった、請求項２の「くびふり百発百中ハイブリッド印材」。
【考案の詳細な説明】
【技術分野】
【０００１】  本公案は、２分割した印材の螺嵌の型に関する。
【背景技術】
【０００２】  従来の印面が取手に対して傾斜する取付構造の印材は、取付の関節部分の凹部と凸部を合わせた構造である。これらは、分離しやすく、印紋本体を紛失する場合があった。凹部と凸部が分離しない構造にするためには、凹部の開口部を分離し、凸部の球体を挟む方法や、印紋本体と取手本体を弾性ゴムやスプリング等の緩材で接合する必要があった。又、凹部と凸部を用いない印面が取手対し傾斜する取付構造の印材であっても、同じく印面部と取手部を弾性ゴムやスプリング等の緩材を用い接合する必要があった。
【考案の概要】
【考案が解決しようとする課題】
【０００３】  解決しようとする問題点は、印面が取手に対し傾斜可動する取付構造の印材であって、印紋本体（２）と取手本体（６）とが離脱しない構成が出来ない点である。
【課題を解決するための手段】
【０００４】  本公案は、印紋本体（２）の宝珠体凸部（３）と取手本体（６）の壺体凹部（５）を螺嵌させ、可動傾斜する構成とした。
【考案の効果】
【０００５】  上述したように本公案のくびふり印材の構成は、印紋部の分離・紛失を防止するとともに、使用者の捺印業務の能率向上、ストレスの軽減が期待出来、社会の信用業務に貢献できる印鑑を提供できる。併せて、日本の伝統文化に貢献できるものである。【０００６】  従来の一本物印鑑は、捺印という最も単純で、最も重要な信用を表現する社会的行為が、１／３６０（１度は垂直を表し、３６０度は平面を表す。）のため、捺印業務の確率が、０．３％という低い確率である。一方、くびふり印材は、３６０／３６０（分子の３６０度はくびふりを表し、分母の３６０度は平面を表す。）という可動性から、捺印業務は、１００％という高い確率と、信頼が確保できる。【０００７】  従来の技術により作製されている印材の歴史は、二度押し、書類の書き直し、盲印などの社会現象として、歴史を繰り返し、疎まれ、敬遠され、文化としての日本の伝統の印鑑が存亡の危機に瀕している。
【考案を実施するための形態】
【０００８】  以下、本公案を実施するための最良の形態について説明する。本公案に係わる「くびふり百発百中ハイブリッド印材」は、印面（１）を有する印面本体（２）に宝珠体凸部（３）を設ける。前記宝珠体凸部（３）の直径以下の壺体開口部（４）を有する取手本体（６）を設ける。
前記宝珠体凸部（３）に前記壺体凹部（５）を螺挿したことにより、印面が取手に対して傾斜する取付構造の印材が実現した。印紋本体（２）の宝珠体凸部（３）と取手本体（６）の壺体凹部（５）が螺嵌し、可動傾斜するものである。宝珠体凸部（３）と壺体凹部（５）とが螺着している。
【図面の簡単な説明】
【０００９】
【図１】  「本公案の正面図である。」
【図２】  「本公案の３６０度のくびふり印材の断面図である。」
【図３】  「本公案の３６０度くびふり印材の斜視図である。」
【符号の説明】
【００１０】  １  印面
２  印紋本体
３  宝珠体凸部
４  壺体開口部
５  壺体凹部
６  取手本体
【図１】
0003160494.tif 000003
【図２】
0003160494.tif 000004
【図３】
0003160494.tif 000005
【手続補正書】
【提出日】平成22年3月10日(2010.3.10)
【手続補正１】
【補正対象書類名】実用新案登録請求の範囲
【補正対象項目名】全文
【補正方法】変更
【補正の内容】
【実用新案登録請求の範囲】
【請求項１】
印面（１）が、取手本体（６）に対して傾斜する取付構造で、印面（１）を有する印紋本体（２）に宝珠体凸部（３）を設け、取手本体（６）に、前記、宝珠体凸部（３）の直径以下の壺体開口部（４）に壺体凹部（５）を設け、前記、壺体凹部（５）に前記、宝珠体凸部（３）が螺嵌した印材。
【請求項２】
印紋本体（２）の宝珠体凸部（３）と取手本体（６）の壺体凹部（５）が螺着、可動傾斜する構造の請求項１記載の印材。
【請求項３】
宝珠体凸部（３）を有する印紋本体（２）が、壺体凹部（５）を有する取手本体（６）の開口部（４）に螺入、離脱不可の構造となった、請求項２記載の印材。
(57)【要約】      （修正有）【課題】便器の内側を掃除する為のブラシを抵抗感なく収納し、且つ常時清潔に保つことができる家庭用水洗トイレの便器を提供する。【解決手段】側面に、市販の清掃用ブラシを収納でき、底部が流水路に貫通されるが故に水洗の度そのブラシの先端を洗浄せしめる、ポケット用空洞を設けて家庭用水洗トイレの便器を構成する。【選択図】図２
0003160500.tif 000002
【実用新案登録請求の範囲】
【請求項１】
本案件は家庭用水洗トイレの便器に、その清掃用のブラシを収納し洗浄するポケットを設ける旨の、日用品の形状に関する考案をその範囲にて実用新案として登録される事を請求するものである。
【考案の詳細な説明】
【技術分野】
【０００１】  本案件は、家庭用水洗トイレの便器の形状に関するものであり日用品の分野に属する。
【考案の概要】
【考案が解決しようとする課題】
【０００２】  トイレたるものは小まめに掃除する事が肝要であるが、不快の種が便器の内側を洗うブラシの扱いである。使った後、水を切る為に振ると飛沫が散るわ、ケースに入れても床の上に置いておくのには抵抗があるわ、ケースに溜まった水が零れた日には不快の極みである。このブラシをなんとかしたい。
【課題を解決するための手段】
【０００３】  常常思って居た事は、便器自体にブラシを収納するためのポケットが付いていて、水を流す度にブラシも洗浄されたら嘸や気分がいいだろうという事である。ただ、物が物だけに試作品を造って使ってみる事は素人には不可能であり、具体的な形状・構造・問題点等はここに提示するだけのものを持たない。そこで、某大手メーカーの洋式便器をモデルに、この辺にブラシを収納するポケットを設ける事が可能ではないかという立場の考案の提示を図面によって行う。
【図面の簡単な説明】
【０００４】
【図１】便器を正面斜め上から見た図に、ポケット形成が可能と思われる部位を矢印で示した。
【図２】便器を側面から見た図に、ポケット形成が可能と思われる部位を矢印で示し、ポケット開口部のイメージ図を施した。
【図３】ブラシポケットと水流の交叉位置関係のイメージ図。
【図１】
0003160500.tif 000003
【図２】
0003160500.tif 000004
【図３】
0003160500.tif 000005
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
その側面に、市販の清掃用ブラシを収納でき、底部が流水路に貫通されるが故に水洗の度そのブラシの先端を洗浄せしめる、ポケット様空洞を有する事を特徴とする家庭用水洗トイレの便器。
(57)【要約】      （修正有）【課題】草むらや石ころの中に埋もれているペットボトルや缶を、素手で探さず、引っ掛け金具の付いた棒を、飲み口に差込み、雨水や飲料水や虫等を逆さにして流しきり、手を汚さず回収することができるお掃除棒を提供する。【解決手段】円錐形の木の棒の先に、先端に角度をつけたＬ型引っ掛け金具を台形の鉄金具にはめ込んだものを、はめ込み接続させる。【選択図】図１
0003160497.tif 000002
【実用新案登録請求の範囲】
【請求項１】
草むらや石ころの中に入り込んだペットボトルや缶などを、棒の先に引っ掛け金具を鉄で接続させた棒で、簡単に探し出し取り出せることができるお掃除棒。
【考案の詳細な説明】
【背景技術】
【０００１】  草むらの中や石ころの中などに埋もれている、ペットボトルや缶などを探し出して取り出すときに、中身の雨水・飲料水の残り・虫等を直接手で触わってしまったり、他のゴミで手を切ったりと、危険な思いや気持悪い思いをしながらゴミ袋へ捨てていますが、その気持悪さや危険をなくすために、直接手で触らず探し出すこのお掃除棒を考案致しました。
【考案を実施するための最良の形態】
【０００２】  埋もれたペットボトルや缶などをこのお掃除棒１０で探し出し、飲み口に簡単に入る引っ掛け金具１の先端２（危険性を防止するために角度をつける）を鉄４で接続した棒５のお掃除棒１０を差し込んで、逆さにして中身の雨水・飲料水の残り・虫等を流しきり、直接手で触らずゴミ袋へと捨てることができ、また、引っ掛け金具１のカーブにあるギザギザ３で、石に付いたコケやティッシュ等を剥ぎ取ることができる。
【図面の簡単な説明】
【０００３】
【図１】本考案にかかるお掃除棒。
【符号の説明】
【０００４】お掃除棒                                １０
引っ掛け金具                              １
引っ掛け金具の先端                        ２
引っ掛け金具のギザギザ部分                ３
引っ掛け金具と棒の鉄製接続部分            ４
引っ掛け金具と接続部分を支える棒          ５
【図１】
0003160497.tif 000003
【手続補正書】
【提出日】平成22年4月4日(2010.4.4)
【手続補正１】
【補正対象書類名】実用新案登録請求の範囲
【補正対象項目名】全文
【補正方法】変更
【補正の内容】
【実用新案登録請求の範囲】
【請求項１】
円錐形の木の棒の先に、先端に角度をつけたＬ型引っ掛け金具を台形の鉄金具にはめ込んだものを、はめ込み接続させた、便利なお掃除棒。
【手続補正２】
【補正対象書類名】明細書
【補正対象項目名】０００２
【補正方法】変更
【補正の内容】
【０００２】先端に危険防止の角度をつけた２Ｌ型引っ掛け金具１を、台形の鉄金具４にはめ込み、更にそれを円錐形の木の棒５の先にはめ込み接続させたお掃除棒で、埋もれたペットボトルや缶の飲み口に差し込み、逆さにして中身の雨水・飲料水の残り・虫等を流しきり、直接素手で触らずゴミ袋へと捨てることができ、Ｌ型引っ掛け金具１のカーブに付けたギザギザ３で、石に付いたコケ・ティッシュ等を剥ぎ取ることができる。
【手続補正３】
【補正対象書類名】明細書
【補正対象項目名】０００４
【補正方法】変更
【補正の内容】
【０００４】お掃除棒                              １０
Ｌ型引っ掛け金具                        １
Ｌ型引っ掛け金具の先端                  ２
Ｌ型引っ掛け金具のギザギザ              ３
台形鉄金具                              ４
円錐形の棒                              ５
(57)【要約】      （修正有）【課題】一人でも簡単に車のシートカバーが掛けられる簡易装着車カバーを提供する。【解決手段】シートを装着する時、後方にスライドしながらゴム帯ベルト９が帯ゴムガイド８を通る時にゴム帯ベルトのゴム爪１０がシートカバー裏面の爪止めフック７に掛かりカバーをしっかり車に固定するものであり、解除する時も解除パイプ１１が爪をはずして収納する事が出来る。【選択図】図１
0003160491.tif 000002
【実用新案登録請求の範囲】
【請求項１】
カバー上部に蛍光色を配し夜間でも見やすくし装着は前部にカバーをかけ後部にスライドするとゴム帯上部の爪がカバーの爪フックに掛かり後部フックに固定する事でカバー装着が完了し一人でも出来る  また解除する時も後部を前部にスライドする時後部のゴムパイプが爪をはずし  たたむ事が出来る  簡易装着車カバーである
【考案の詳細な説明】
【技術分野】
【０００１】  本考案は１人で車カバーを装着出来ないかと考案されたものです．
ゴムベルトに爪をつけ脱着の時後部ゴムパイプが爪をはずしていく
【背景技術】
【０００２】夜間でも一人で装着出来る様にした．前フックを固定し後部にスライドする事により簡易に車カバーを装着する事が出来る．
【考案の概要】
【考案が解決しようとする課題】
【０００３】シートカバーを１人で装着する場合はずれたりして誰かに手使ってもらわないとなかなか困難な為に夜間でも見易い様にシート外部には中心線に蛍光色を配し見やすくし車前部にフックで固定し後部へスライドすれば爪がフックに掛かり簡易に１人で装着出来る
【課題を解決するための手段】
【０００４】装着する時は前部を固定しカバーを後部にスライドする時にゴム上部の爪がフックに掛かり装着する．また脱着する時は後部をはずし後部固定のゴムパイプが前にスライドする時爪をはずしていき前にたたむことが出来る
【考案の効果】
【０００５】上述の様にカバーに蛍光色が付いているので夜間でも装着出来前部を固定して後部へスライドするだけなので１人でも簡易に装着出来る
【図面の簡単な説明】
【０００６】
【図１】シートカバーの正面図である
【図２】シートカバーの側面図である
【図３】シートカバーゴム帯ベルトの側面図である
【考案を実施する為の形態】
【０００７】シートカバーの前部を車にフックで固定しそのまま車上部中心にそって後部へスライドします  ゴム帯ベルトが後部に伸びていくとゴムベルト上部の爪がシートにぬってあるフック止めに掛かり固定され後部をバンパー等にフックで固定して終了になります
解除する時は後部フックをはずし前部へフライドする過程で帯ベルト後部に固定されてあるゴムパイプが前部へスライドする時にフックから爪をはずし解除しカバーをたたむ事が出来る
【実施例】
【０００８】以下添付図面に従って実施例を説明する
カバー表面には夜間の作業でもわかりやすく蛍光色がほどこされている３は前部のマーク４は後部のマーク２はそれをつなぐ帯のラインである．
まず５のフックを車前部に掛けカバを後部にスライドするとカバー裏側８のガイトの中を９ゴムベルトが通り後部まで張られると７のシートカバー裏側のフックに掛かり後部にフックで固定して完了する．
解除の時は後部のフックをはずし前部へスライドする時後部固定の１１ゴムパイプが９帯ベルトの１０の爪をはずし７のフックからはがし前部へたたまれて完了となる
【符号の説明】
【０００９】１  カバー              ５  フック            １０  ゴム爪
２  蛍光色ライン        ６  フック            １１  解除パイプ
３  蛍光色前部マーク    ７  爪当めフック
４  〃    後部マーク    ８  帯ゴムガイド
９  ゴム帯ベルト
【図１】
0003160491.tif 000003
【図２】
0003160491.tif 000004
【図３】
0003160491.tif 000005
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
車のカバー表面の前後を結ぶ中心線に帯状の夜間でも見易くする為に蛍光色ラインを配し蛍光色ラインの裏側にはゴム帯ベルトを通す帯ゴムガイド及び爪止めフックを設け、ゴム帯ベルトの上にゴム爪を付け、車のカバーを装着する時に、ゴム帯ベルトの前部に設けられたフックを車体前部に掛け、ゴム帯ベルトを後部にスライドする時ゴム帯ベルト上のゴム爪が爪止めフックに掛かりゴム帯ベルトを固定し、ゴム帯ベルトの後部に設けられたフックを車体後部に掛けて装着し、脱着する時はゴム帯ベルト後部のゴム帯ベルトを覆っている解除パイプが前へスライドする時、爪止めフックからゴム爪をはがし脱着する簡易装着カバー。
【手続補正２】
【補正対象書類名】明細書
【補正対象項目名】０００７
【補正方法】変更
【補正の内容】
【０００７】シートカバーの前部を車にフックで固定し、そのまま車上部中心に沿って後部へスライドし、ゴム帯ベルトが後部に伸びて行くとゴム帯ベルト上のゴム爪がシート裏側に設けられている爪止めフックに掛かり固定され、後部を車体にフックで固定し、解除する時は後部フックを外し前部へスライドする時ゴム帯ベルト後部に覆われている解除パイプが前部へスライドする時、爪止めフックからゴム爪を外しカバーを畳むことが出来る。
【手続補正３】
【補正対象書類名】明細書
【補正対象項目名】０００９
【補正方法】変更
【補正の内容】
【０００９】１  カバー              ５  フック            ９  ゴム帯ベルト
２  蛍光色ライン        ６  フック          １０  ゴム爪
３  蛍光色前部マーク    ７  爪止めフック    １１  解除パイプ
４  蛍光色後部マーク    ８  帯ゴムガイド
(57)【要約】      （修正有）【課題】家庭でも手軽に腰を鍛えることができる器具を提供する。【解決手段】木、プラスチック、金属の何れかを材料として作った、膝の内側を乗せる蒲鉾形をした部品を上に、全体を支える蒲鉾形した部品を下にして、取ってのある２本の支柱となる部品で四角に組み立てる。【選択図】図１
0003160470.tif 000002
【実用新案登録請求の範囲】
【請求項１】
木，プラスチック，金属等で作った蒲鉾形をした図の１と図の２をパイプ状の図の３でつなぎ、本器具を安定させるために図の４を手で握り，図の１に膝の内側を載せて足と共に前後に動かせ，腰を伸縮させる器具。
【考案の詳細な説明】
【考案の詳細な説明】
【考案が解決しようとする課題】
【０００１】  腰の故障で苦しむ人が多いので、家庭で手軽に腰を鍛えることができる器具を作る。
【考案を解決しようとする手段】
【０００２】  上記目的を達成するために、上向きに寝て立てた本器具の図の１に膝の内側を載せ，図の４を手で握り，図の２を軸にして、足や膝をやじろべえのように前後に動かして腰を伸縮させる。
【考案の効果】
【０００３】  広い場所が不要で軽くて移動しやすく，手軽に家庭で腰を鍛えるために使用することができる。
【図面の簡単な説明】
【図１】  本器具の側面図である。
【図２】  本器具の正面図である。
【符号の説明】  １  膝の内側を載せる部分である。
２  本器具の台や軸になる部分である。
３  図の１と図の２をつなぐ部分である。
４  本器具を安定させるために手で握る部分である。
【図１】
0003160470.tif 000003
【図２】
0003160470.tif 000004
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
蒲鉾形をした膝の内側を載せる台と、本器具の台になる２本の部品を、本器具の使用の時台が移動しないように、手で握る部分がある、２本のパイプ状の部品で組合わせた腰を伸縮させる器具。
【手続補正書】
【提出日】平成22年1月7日(2010.1.7)
【手続補正１】
【補正対象書類名】実用新案登録請求の範囲
【補正対象項目名】全文
【補正方法】変更
【補正の内容】
【実用新案登録請求の範囲】
【請求項１】
木、プラスチック、金属などを材料として作った、直径１２センチ、長さ６０センチ程度の横長い２本の部品を、パイプ状の部品２本で組み立てそれを立て、上部に膝の関節の内側を乗せ、下部の１本は本器具の台又わ本器具を使用する際軸となって、足を前後に動かせ腰を伸縮する際に前後に回転すると共に本器具が移動しないよう安定させる為に、パイプ状の２本に手で握る装置を備えた、腰を伸縮させて鍛える器具。
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
木、プラスチック、金属の何れかを材料として作った、膝の内側を乗せる蒲鉾形をした部品を上に、全体を支える蒲鉾形した部品を下にして、取ってのある２本の支柱となる部品で四角に組み立てた事を、特徴とする器具。
(57)【要約】      （修正有）【課題】手の届かない荒れた背中・かゆみの身体中に第１に人の手を借りる事なく、自由自在に万遍無く塗れてかつ衛生的なミニタオルを提供する。【解決手段】肌にやさしい布・綿・ガーゼなどで１回１回使用する様キュートパック方式、１枚づつ取り出して使う箱形式・長さ・幅でＭサイズ・Ｌサイズと分けて薬・クリーム・ローション等をロスのない様染み込ませる。もって、荒れた背中皮膚・かさつく乾燥肌・かゆみ・あせも・かきむしり・日焼どめしみ・美容などの、用途別に分けて・薬・クリーム・ローション等を塗れるように形成する。【選択図】図２
0003160482.tif 000002
【実用新案登録請求の範囲】
【請求項１】
軟らかい布・綿か・ガーゼ等・又は伸び縮みするガーゼ他にかゆみ治療薬・日焼どめクリーム・美容クリーム・ローションなど染み込ませた、細いミニタオルです
【考案の詳細な説明】
【技術分野】
【０００１】本考案は軟らかい布・綿か・ガーゼ等にかゆみ治療薬・日焼どめ薬・美容クリーム・ローションなど等を染み込ませた、細いミニタオルです
【背景技術】
【０００２】荒れた背中皮膚・かさつく乾燥肌・かゆみ・あせも・かきむしり・日焼どめしみ・美容などの、用途別に分けて・薬・クリーム・ローション等を塗れる。
【考案が解決しようとする課題】
【０００３】手の届かない、背中に人の手を借りる事なく、自分一人で自由自在に万遍無く、身体中に塗れる事です。
【課題を解決するための手段】
【０００４】肌にやさしい布・綿か・ガーゼなどで１回１回使用する様キュートパック方式、１枚づつ取り出して使う箱形式・長さ・幅でＭサイズ・Ｌサイズと分けて薬・クリーム・ローション等をロスのない様染み込ませる事
【考案の効果】
【０００５】上述の様に本考案のミニタオルは手の届かないかゆい背中・乾燥した肌・荒れた皮膚などに、万遍無く塗れて最後までムダなく衛生的かつ経済的です。一人で手がるに塗れて悩み解消バツグンです。
【図面の簡単な説明】
【０００６】本考案のスキンクリーム・ミニタオルは、お風呂で体を洗う要領で使用（染る）する、一実施例を示す正面図です
【図１】一実施例を示す正面図である
【図２】本ミニタオルの平面図
【考案を実施するための形態】
【０００７】本考案を薬品会社等に提案し、実施する。
【図１】
0003160482.tif 000003
【図２】
0003160482.tif 000004
【手続補正書】
【提出日】平成22年4月1日(2010.4.1)
【手続補正１】
【補正対象書類名】実用新案登録請求の範囲
【補正対象項目名】請求項１
【補正方法】変更
【補正の内容】
【請求項１】
治療薬・日焼どめクリーム・美容クリーム・ローションのいずれかを染み込ませた、軟らかい布・綿・ガーゼ・伸び縮みするガーゼのいずれからなる、スキンクリーム・ミニタオル。
(57)【要約】      （修正有）【課題】突っ張り棒を取付ける際、簡単に水平、又は垂直を保って取付けられる水準器付き突っ張り棒を提供する。【解決手段】突っ張り棒１に、水準器１０を取り付ける。【選択図】図１
0003160490.tif 000002
【実用新案登録請求の範囲】
【請求項１】
突っ張り棒を取り付けるに当って、その突っ張り棒が簡単に水平及び垂直を得るために、予め、簡易水疱式等のレベラーを、突っ張り棒本体に固定させた水準器付き突っ張り棒。
【考案の詳細な説明】
【技術分野】
【０００１】本考案は、突っ張り棒をセットするに当って、水平、叉は垂直を保つに関する。
【背景技術】
【０００２】従来の突っ張り棒のセット法では、水平、叉は垂直を得る為に手間がかかった。
【考案の開示】
【考案が解決しょうとする課題】
【０００３】しかし、これでは、突っ張り棒をセットしょうとするとき、水平、又は垂直を得るためには目分量か、別途、水準器を用意して行なわねばならない。又突っ張り棒の形状が円形を呈していることでもある故、それに水準器の使用にあたっては煩雑である。
【考案を解決するための手段】
【０００４】そこで、セットしょうとする突っ張り棒自体に、水準器を予めセットしておけば、突っ張り棒の取付けに当って、水平、又は垂直が簡単に得られる。
【考案の効果】
【０００５】よって、本考案の水準器取付け済み突っ張り棒により、その施行に当り、簡単に水平、叉は垂直を得る事が出来る。
【考案を実施するための最良の形態】
【０００６】本考案に係る突っ張り棒水準器１０は、図１に示すように、突っ張り棒１に取付けられる。
【図面の簡単な説明】
【０００７】
【図１】本考案に係る水準器を、突っ張り棒に取り付けた外形図である。
【符合の説明】
【０００８】１          突っ張り棒
１０        水準器
【図１】
0003160490.tif 000003
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
水準器が突っ張り棒本体に固定させた、水準器付き突っ張り棒。
(57)【要約】      （修正有）【課題】うま味及び甘味を演出したたまねぎを使ったおいしいお好み焼きを提供する。【解決手段】円形に敷いたお好み焼き粉に、スライスされたたまねぎが敷き詰めるように設けられて加熱されたものに、細かく砕いたポテトチップスが載せられて構成される。【選択図】図１
0003160481.tif 000002
【実用新案登録請求の範囲】
【請求項１】
キャベツの変わりに、たまねぎを使用するとともに、仕上げに、ポテトチップスとガーリック粉を使用し、味に、深みを出した点である。
【考案の詳細な説明】
【技術分野】
【０００１】  本考案は、たまねぎを使ったお好み焼きに関するものである。
【背景技術】
【０００２】  今までのお好み焼き店経営の、ノウハウを基に、キャベツ以外の野菜を使い、従来以上に、うま味及び甘味を、演出することができた。【０００３】  しかし、ただ単にたまねぎを使用しただけでは、物足りなさが解消されないため、仕上げに、ポテトチップスとガーリック粉を使用することで、この問題点を、解消することができた。
【先行技術文献】
【特許文献】
【０００４】
【特許文献１】特開２００３−００００００号公報
【非特許文献】
【０００５】
【非特許文献１】各種料理本
【考案の概要】
【考案が解決しようとする課題】
【０００６】  解決しようとする問題点は、キャベツの変わりにたまねぎを使用することによりメニューのバリエーションを広げる点である。
【課題を解決するための手段】
【０００７】  本考案は、キャベツの変わりにたまねぎを使用するだけでなく、ポテトチップスとガーリック粉を使用し、抜群の、甘みとうま味をかもし出す事が出来たことである。
【考案の効果】
【０００８】  本考案のたまねぎを使ったお好み焼きは、多くの人を、低価格で、受け入れられ喜んでもらう事ができると確信した。
【図面の簡単な説明】
【０００９】
【図１】図１は最初の片面の焼き方を示した説明図である。（実施例１）
【図２】図２は裏返した次の片面の焼き方を示した説明図である。（実施例２）
【考案を実施するための形態】
【００１０】  通常のお好み焼きが出来る環境があれば、どこでも作ることは、可能である。
【実施例１】
【００１１】  図１は、たまねぎを使ったお好み焼きの実施例１の見取り図であって、１はお好み焼き粉、２は削り粉、３はスライスしたたまねぎ、４は天カス、５はそば若しくはうどん、６は牛脂を使った」ミンチである。
【実施例２】
【００１２】  図２は、図１を裏返した実施例２の見取り図であって、７はたまご、８はお好み焼き専用ソース、９細かく砕いたポテトチップス、１０はマヨネーズ、１１は青のり、１２はガーリック粉である。
【産業上の利用可能性】
【００１３】  たまねぎと、ポテトチップス及びガーリック粉があれば、どこでも作ることができ、お好み焼きの新しいバリエーションを広げることができるとともに、栄養上もバランスをたもち健康維持にも貢献できるとおもわれる。
【符号の説明】
【００１４】１  お好み焼き粉
２  削り粉
３  スライスしたたまねぎ
４  天カス
５  そば若しくは、うどん
６  牛脂を使ったミンチ
７  たまご
８  お好み焼き専用ソース
９  細かく砕いたポテトチップス
１０  マヨネーズ
１１  青のり
１２  ガーリック粉
【図１】
0003160481.tif 000003
【図２】
0003160481.tif 000004
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
通常キャベツを使うところを、厚み２ミリで半月形の形を有するスライスした１個分のたまねぎを、直径１８ｃｍの円形に敷いたお好み焼き粉に、敷き詰めて満遍なく熱を通すようにした点と、仕上げに、細かく砕いたポテトチップスをのせて仕上げる、たまねぎを使ったお好み焼き。
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
円形に敷いたお好み焼き粉に、スライスされたたまねぎが敷き詰めるように設けられて加熱されたものに、細かく砕いたポテトチップスが載せられて構成される、たまねぎを使ったお好み焼き。
(57)【要約】      （修正有）【課題】串が真直ぐに矯正され、迅速に加工物に刺さる串曲がり矯正具を提供する。【解決手段】串が曲がらないように搭載できる溝を設けた矯正具の中に串を入れ、左右矯正した後蓋をする。蓋をすることで串の上下曲がりが矯正され、上下左右が矯正された串が出来る。その後、押し棒で矯正された串の後部を押し、串を矯正しながら加工物を刺し通す。【選択図】図１
0003160489.tif 000002
【実用新案登録請求の範囲】
【請求項１】
串を搭載するための溝を設け、なおかつその溝は串の左右曲がりを矯正し串が摺動する溝でもある。その溝に串を搭載し串後部を押す串押し棒、串の上下曲がりを矯正する蓋からなる。串の上下左右を矯正しながら串押し棒で串後部を押圧し加工物を突き通すことを特徴とする串曲がり矯正具。
【考案の詳細な説明】
【考案の詳細な説明】
【０００１】（肉、野菜等を、以下加工物と言う）串を搭載するための溝を設けその溝に串を入れ、左右曲がりを矯正し蓋をすることで串の上下曲がりを矯正し、串曲がりからくる刺し違いをなくすことを特徴とした串曲がり矯正具。
【背景技術】
【０００２】串を手に持ち、それに加工物を一つずつ指し込んでいくという方法が一般的である。
【考案が解決しようとする課題】
【０００３】人間が手で串を持ち加工物に刺し込む。本数がかさなると身体に負担が掛かり腱鞘炎等の疾患が生じる危険性もある。それを解決するために開発した器械。串を後ろから単に押すだけの器械だと加工物が硬い場合、串が曲がったり折れたりし加工物に素直に刺さっていかない。その串の曲がりや折れの問題を解決する手段を考える。
【課題を解決するための手段】
【０００４】解決するには、串が曲がらないように工夫した串曲がり矯正具に串を入れ矯正する。その串曲がり矯正具を使用する。
【作用】
【０００５】この串曲がり矯正具により串が真直ぐに矯正され、迅速に加工物に刺さる。
【考案の効果】
【０００６】この串曲がり矯正具が無ければ串が曲がったり、折れたりして加工物の中心に刺さらずに加工物の商品価値がさがる。この串曲がり矯正具があることで、加工物の中心に刺さり、商品価値があがる。
【図面の簡単な説明】
【０００７】串曲がり矯正具本体を分解した図である。
【図１】
0003160489.tif 000003
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
串を搭載するための溝を設け、なおかつその溝は串の左右曲がりを矯正し串が摺動する溝であり、その溝に串を搭載し串後部を押す串押し棒、串の上下曲がりを矯正する蓋からなり、串の上下左右を矯正しながら串押し棒で串後部を押圧し加工物を突き通すことを特徴とする串曲がり矯正具。
【手続補正２】
【補正対象書類名】明細書
【補正対象項目名】０００７
【補正方法】変更
【補正の内容】
【０００７】
【図１】串曲がり矯正具本体を分解した図である。